(57)【要約】【課題】レビューの信頼性を向上させることを課題とする。【解決手段】情報処理装置は、書誌情報処理部と、判定部と、画面生成部と、書評情報処理部とを有する。書誌情報処理部は、利用者によって入力された検索ワードに対応する書誌情報を取得する。判定部は、書評を投稿可能な利用者の利用者情報に基づいて、検索ワードを入力した利用者が投稿可能であるか否かを判定する。画面生成部は、検索ワードを入力した利用者が投稿可能であると判定された場合に、書誌情報とともに、各書籍に対する書評を投稿するためのオブジェクトを含む検索結果画面を生成する。書評情報処理部は、書評の投稿に応じて、書評情報記憶部を更新する。【選択図】図３
2016024727.tif 000002
【特許請求の範囲】
【請求項１】
書籍を識別する書籍識別情報ごとに書誌情報を記憶する書誌情報記憶部から、利用者によって入力された検索ワードに対応する前記書誌情報を取得する書誌情報処理部と、
利用者を識別する利用者識別情報と、利用者の属性に応じた区分を表す利用者区分情報とを含む利用者情報を記憶する利用者情報記憶部を参照し、書評を投稿可能な利用者の利用者情報に基づいて、前記検索ワードを入力した利用者が投稿可能であるか否かを判定する判定部と、
前記検索ワードを入力した利用者が投稿可能であると判定された場合に、取得された前記書誌情報とともに、各書籍に対する書評を投稿するためのオブジェクトを含む検索結果画面を生成する画面生成部と、
前記書評の投稿に応じて、書評を識別する書評識別情報ごとに、投稿された前記書評と、投稿された前記書評の前記書籍識別情報と、前記書評を投稿した利用者の前記利用者識別情報とを含む書評情報を記憶する書評情報記憶部を更新する書評情報処理部と
を有することを特徴とする情報処理装置。
【請求項２】
前記書評情報処理部は、取得された前記書誌情報の前記書籍識別情報に対応する前記書評を前記書評情報記憶部から取得し、
前記画面生成部は、取得された前記書評を含む前記検索結果画面を生成することを特徴とする請求項１に記載の情報処理装置。
【請求項３】
前記画面生成部は、予め設定された表示数の前記書評を含む前記検索結果画面を生成することを特徴とする請求項２に記載の情報処理装置。
【請求項４】
前記画面生成部は、前記表示数よりも多い数の前記書評を表示させるためのオブジェクトを含む前記検索結果画面を生成し、該オブジェクトの操作に応じて、前記表示数よりも多い数の前記書評を含む前記検索結果画面を生成することを特徴とする請求項３に記載の情報処理装置。
【請求項５】
前記画面生成部は、取得された前記書評を投稿した利用者の他の書評を表示するためのオブジェクトを含む前記検索結果画面を生成し、
前記書評情報処理部は、前記書評を投稿した利用者の他の書評を表示するための前記オブジェクトの操作に応じて、該利用者の前記利用者識別情報をもとに、該利用者識別情報に対応する他の前記書評を前記書評情報記憶部から取得し、
前記書誌情報処理部は、前記書評を投稿した利用者の他の書評を表示するための前記オブジェクトの操作に応じて、該利用者の前記利用者識別情報に対応する前記書籍識別情報をもとに、該書籍識別情報に対応する前記書誌情報を前記書誌情報記憶部から取得し、
前記画面生成部は、取得された前記書評と前記書誌情報とを含む個人書評一覧画面を生成することを特徴とする請求項２〜４の何れか一つに記載の情報処理装置。
【請求項６】
前記判定部は、前記書評を編集可能な利用者の利用者情報に基づいて、前記検索ワードを入力した利用者が編集可能か否かを判定し、
前記画面生成部は、前記検索ワードを入力した利用者が編集可能であると判定された場合に、該利用者が投稿した前記書評を編集するためのオブジェクトを含む前記検索結果画面を生成し、
前記書評情報処理部は、前記書評の編集に応じて、前記書評情報を記憶する前記書評情報記憶部を更新することを特徴とする請求項１〜５の何れか一つに記載の情報処理装置。
【請求項７】
前記書評情報記憶部は、前記書評を公開可能であるか否かを表す状態情報をさらに含み、
前記書評情報処理部は、公開又は非公開とする管理者の操作に応じて前記状態情報を更新し、
前記画面生成部は、公開可能な状態の前記書評を含む前記検索結果画面を生成することを特徴とする請求項２〜６の何れか一つに記載の情報処理装置。
【請求項８】
書籍を識別する書籍識別情報ごとに書誌情報を記憶する書誌情報記憶部から、利用者によって入力された検索ワードに対応する前記書誌情報を取得するステップと、
利用者を識別する利用者識別情報と、利用者の属性に応じた区分を表す利用者区分情報とを含む利用者情報を記憶する利用者情報記憶部を参照し、書評を投稿可能な利用者の利用者情報に基づいて、前記検索ワードを入力した利用者が投稿可能であるか否かを判定するステップと、
前記検索ワードを入力した利用者が投稿可能であると判定された場合に、取得された前記書誌情報とともに、各書籍に対する書評を投稿するためのオブジェクトを含む検索結果画面を生成するステップと、
前記書評の投稿に応じて、書評を識別する書評識別情報ごとに、投稿された前記書評と、投稿された前記書評の前記書籍識別情報と、前記書評を投稿した利用者の前記利用者識別情報とを含む書評情報を記憶する書評情報記憶部を更新するステップと
を含むことを特徴とする情報処理方法。
【請求項９】
書籍を識別する書籍識別情報ごとに書誌情報を記憶する書誌情報記憶部から、利用者によって入力された検索ワードに対応する前記書誌情報を取得するステップと、
利用者を識別する利用者識別情報と、利用者の属性に応じた区分を表す利用者区分情報とを含む利用者情報を記憶する利用者情報記憶部を参照し、書評を投稿可能な利用者の利用者情報に基づいて、前記検索ワードを入力した利用者が投稿可能であるか否かを判定するステップと、
前記検索ワードを入力した利用者が投稿可能であると判定された場合に、取得された前記書誌情報とともに、各書籍に対する書評を投稿するためのオブジェクトを含む検索結果画面を生成するステップと、
前記書評の投稿に応じて、書評を識別する書評識別情報ごとに、投稿された前記書評と、投稿された前記書評の前記書籍識別情報と、前記書評を投稿した利用者の前記利用者識別情報とを含む書評情報を記憶する書評情報記憶部を更新するステップと
をコンピュータに実行させるための情報処理プログラム。
【請求項１０】
情報処理装置と端末装置とを有する情報処理システムであって、
前記情報処理装置は、
書籍を識別する書籍識別情報ごとに書誌情報を記憶する書誌情報記憶部から、利用者によって入力された検索ワードに対応する前記書誌情報を取得する書誌情報処理部と、
利用者を識別する利用者識別情報と、利用者の属性に応じた区分を表す利用者区分情報とを含む利用者情報を記憶する利用者情報記憶部を参照し、書評を投稿可能な利用者の利用者情報に基づいて、前記検索ワードを入力した利用者が投稿可能であるか否かを判定する判定部と、
前記検索ワードを入力した利用者が投稿可能であると判定された場合に、取得された前記書誌情報とともに、各書籍に対する書評を投稿するためのオブジェクトを含む検索結果画面を生成する画面生成部と、
生成された前記検索結果画面を前記端末装置に対して送信する通信部と、
前記書評の投稿に応じて、書評を識別する書評識別情報ごとに、投稿された前記書評と、投稿された前記書評の前記書籍識別情報と、前記書評を投稿した利用者の前記利用者識別情報とを含む書評情報を記憶する書評情報記憶部を更新する書評情報処理部と、を有し、
前記端末装置は、
前記情報処理装置によって送信された前記検索結果画面を受信する通信部と、
受信された前記検索結果画面を表示部に表示する制御を行ない、利用者による操作を受け付ける制御部と、を有し、
前記通信部は、受け付けられた操作の操作情報を前記情報処理装置に対して送信する
ことを特徴とする情報処理システム。
【発明の詳細な説明】
【技術分野】
【０００１】
本発明は、情報処理装置、情報処理方法、情報処理プログラム及び情報処理システムに関する。
【背景技術】
【０００２】
従来、図書館の本を端末から検索することが可能な蔵書検索システムが実用化されている。かかる蔵書検索システムでは、図書館内に設置されたＰＣ（Personal  Computer）からだけではなく、インターネットを介して、外部ＰＣやタブレット端末、スマートフォン、携帯電話機等の端末から検索することも可能となっている。
【０００３】
近年、このような蔵書検索システムの利用頻度や利用価値を向上させるための付加価値として、Ｗｅｂサイトに公開された書評（レビュー）を表示する機能を有するものが存在する。例えば、レビューを表示する機能は、本の検索結果の一覧に、Ｗｅｂサイト等に公開されたレビューを表示することにより、利用者の目的に、より合致する本を選択させるための判断材料を提供することを目的としている。また、利用者の目的により合致する本を選択させるための判断材料を提供する点において、本の検索結果の一覧に、検索結果の本を借りた他の利用者が借りた、検索結果とは異なる本の情報を提供するといったものも存在する。
【発明の概要】
【発明が解決しようとする課題】
【０００４】
しかしながら、Ｗｅｂサイト等に公開されたレビューを表示する機能を有する蔵書検索システムでは、レビューの信頼性が低い場合があるという問題がある。例えば、Ｗｅｂサイト等に公開されたレビューは、投稿した人の属性が不明であることが多く、正当に評価しているか否かも定かではないため、ノイズや非常識なレビューが公開されている可能性があり、レビューの信頼性が高いとは言い難い。
【０００５】
本発明は、上記に鑑みてなされたものであって、レビューの信頼性を向上させることが可能である情報処理装置、情報処理方法、情報処理プログラム及び情報処理システムを提供することを目的とする。
【課題を解決するための手段】
【０００６】
上述した課題を解決し、目的を達成するため、本発明に係る情報処理装置は、書籍を識別する書籍識別情報ごとに書誌情報を記憶する書誌情報記憶部から、利用者によって入力された検索ワードに対応する前記書誌情報を取得する書誌情報処理部と、利用者を識別する利用者識別情報と、利用者の属性に応じた区分を表す利用者区分情報とを含む利用者情報を記憶する利用者情報記憶部を参照し、書評を投稿可能な利用者の利用者情報に基づいて、前記検索ワードを入力した利用者が投稿可能であるか否かを判定する判定部と、前記検索ワードを入力した利用者が投稿可能であると判定された場合に、取得された前記書誌情報とともに、各書籍に対する書評を投稿するためのオブジェクトを含む検索結果画面を生成する画面生成部と、前記書評の投稿に応じて、書評を識別する書評識別情報ごとに、投稿された前記書評と、投稿された前記書評の前記書籍識別情報と、前記書評を投稿した利用者の前記利用者識別情報とを含む書評情報を記憶する書評情報記憶部を更新する書評情報処理部とを有する。
【発明の効果】
【０００７】
本発明の一つの様態によれば、レビューの信頼性を向上させることができるという効果を奏する。
【図面の簡単な説明】
【０００８】
【図１】図１は、実施の形態１に係る情報処理システムのシステム構成例を示す図である。
【図２】図２は、実施の形態１に係る情報処理装置のハードウェア構成例を示すブロック図である。
【図３】図３は、実施の形態１に係る情報処理装置及び端末装置の機能構成例を示すブロック図である。
【図４】図４は、実施の形態１に係る書誌情報記憶部に記憶された情報例を示す図である。
【図５】図５は、実施の形態１に係る利用者情報記憶部に記憶された情報例を示す図である。
【図６】図６は、実施の形態１に係る利用者区分のコードの例を示す図である。
【図７】図７は、実施の形態１に係る書評情報記憶部に記憶された情報例を示す図である。
【図８】図８は、実施の形態１に係る書評設定ファイルに設定された情報例を示す図である。
【図９】図９は、実施の形態１に係る未ログイン時の検索結果画面の例を示す図である。
【図１０】図１０は、実施の形態１に係るログイン時の検索結果画面の例を示す図である。
【図１１】図１１は、実施の形態１に係るレビューの投稿画面の例を示す図である。
【図１２】図１２は、実施の形態１に係るレビュー一覧画面の例を示す図である。
【図１３】図１３は、実施の形態１に係る個人レビュー一覧画面の例を示す図である。
【図１４】図１４は、実施の形態１に係るマイページ画面の例を示す図である。
【図１５】図１５は、実施の形態１に係る検索結果画面生成処理の流れの例を示すフローチャートである。
【図１６】図１６は、実施の形態１に係るレビュー一覧画面生成処理の流れの例を示すフローチャートである。
【図１７】図１７は、実施の形態１に係る個人レビュー一覧画面生成処理の流れの例を示すフローチャートである。
【図１８】図１８は、実施の形態２に係る情報処理装置及び端末装置の機能構成例を示すブロック図である。
【図１９】図１９は、実施の形態２に係る書評情報記憶部に記憶された情報例を示す図である。
【図２０】図２０は、実施の形態２に係る書評設定ファイルに設定された情報例を示す図である。
【図２１】図２１は、実施の形態２に係る管理者画面の例を示す図である。
【図２２】図２２は、実施の形態２に係る検索結果画面生成処理の流れの例を示すフローチャートである。
【図２３】図２３は、実施の形態２に係る状態更新処理の流れの例を示すフローチャートである。
【発明を実施するための形態】
【０００９】
以下に添付図面を参照して、本発明に係る情報処理装置、情報処理方法、情報処理プログラム及び情報処理システムの実施の形態を説明する。なお、以下の実施の形態により本発明が限定されるものではない。また、各実施の形態は、内容を矛盾させない範囲で適宜組み合わせることができる。
【００１０】
（実施の形態１）
［実施の形態１に係るシステム構成］
図１を用いて、実施の形態１に係る情報処理システムのシステム構成を説明する。図１は、実施の形態１に係る情報処理システムのシステム構成例を示す図である。
【００１１】
図１に示すように、情報処理システム１には、情報処理装置１０と、端末装置２０とが含まれる。情報処理装置１０と端末装置２０とは、ＬＡＮ（Local  Area  Network）やインターネット等のネットワークに接続される。例えば、情報処理システム１は、大学等の図書館に導入される。端末装置２０は、タブレット端末やスマートフォン、図書館に設置されるＰＣ等であり、情報処理システム１に複数含まれていても良い。図書館を利用する利用者は、端末装置２０を操作し、書籍の検索や書籍に対するレビュー等を投稿する。情報処理装置１０は、利用者による端末装置２０の操作に応じて、レビューの投稿を受け付けたり、検索ワードに対応する書籍の書誌情報やレビュー等を含む検索結果画面を生成したりする。例えば、情報処理装置１０は、サーバ装置等である。
【００１２】
具体的には、情報処理装置１０は、図書館を利用する利用者を、利用者の属性に応じた区分を表す利用者区分情報等により管理する。そして、情報処理装置１０は、レビューを投稿可能な利用者の利用者区分情報を含む設定ファイルに、検索ワードを入力した利用者の利用者区分情報が含まれる場合に、検索ワードに対応する書誌情報とともに、各書籍に対するレビューを投稿するためのオブジェクトを含む検索結果画面を生成する。また、情報処理装置１０は、投稿されたレビューを管理し、検索ワードの入力に応じて、該レビューを含む検索結果画面を生成する。かかる検索結果画面は、端末装置２０に対して送信され、端末装置２０の表示部に表示される。
【００１３】
つまり、情報処理システム１では、利用者の属性に応じてレビューを投稿可能な利用者を制限したうえで、投稿されたレビューを含む検索結果画面を生成するので、レビューの信頼性を向上させることができる。
【００１４】
［情報処理装置のハードウェア構成］
次に、図２を用いて、実施の形態１に係る情報処理装置１０のハードウェア構成を説明する。図２は、実施の形態１に係る情報処理装置１０のハードウェア構成例を示すブロック図である。
【００１５】
図２に示すように、情報処理装置１０は、ＣＰＵ（Central  Processing  Unit）１２と、ＲＡＭ（Random  Access  Memory）１３と、ＲＯＭ（Read  Only  Memory）１４と、通信Ｉ／Ｆ（Interface）１５とを有する。これらのハードウェアは、バス１１により互いに接続される。
【００１６】
ＣＰＵ１２は、情報処理装置１０の動作を統括的に制御する。ＣＰＵ１２は、ＲＡＭ１３をワークエリア（作業領域）として、ＲＯＭ１４等に格納されたプログラムを実行することで、情報処理装置１０全体の動作を制御する。通信Ｉ／Ｆ１５は、外部装置（例えば、端末装置２０等）と通信するためのインタフェースである。
【００１７】
［実施の形態１に係る機能構成］
次に、図３を用いて、実施の形態１に係る情報処理装置１０及び端末装置２０の機能構成を説明する。図３は、実施の形態１に係る情報処理装置１０及び端末装置２０の機能構成例を示すブロック図である。
【００１８】
図３に示すように、情報処理装置１０は、書誌情報記憶部１１１と、利用者情報記憶部１１２と、書評情報記憶部１１３と、通信部１２１とを有する。加えて、情報処理装置１０は、書誌情報処理部１２２と、書評情報処理部１２３と、判定部１２４と、画面生成部１２５と、書評設定ファイル１３１と、画面設定ファイル１３２とを有する。上記各部は、これらの一部又は全てがソフトウェア（プログラム）で実現されても良いし、ハードウェア回路で実現されても良い。
【００１９】
書誌情報記憶部１１１は、書籍を識別する書籍識別情報ごとに書誌情報を記憶する。図４は、実施の形態１に係る書誌情報記憶部１１１に記憶された情報例を示す図である。図４に示すように、書誌情報記憶部１１１は、書籍ＩＤごとに、著者名、出版日、タイトル、書影ＵＲＬ等の書誌情報を記憶する。書籍ＩＤは、書籍を識別するための識別情報である。著者名は、書籍の著者名称を表す情報である。出版日は、書籍の出版日を表す情報である。タイトルは、書籍のタイトルを表す情報である。書影ＵＲＬは、書籍の書影を保持するアドレスを表す情報である。例を挙げると、書誌情報記憶部１１１は、書籍ＩＤ「９９９９９」と、著者名「特許太郎」と、出版日「２１０４／７／２０」と、タイトル「特許入門」と、書影ＵＲＬ「ｈｔｔｐ：／／ａａａａａ．ｃｏｍ／ＸＸ．ｊｐｇ」とを対応付けて記憶する。
【００２０】
利用者情報記憶部１１２は、利用者を識別する利用者識別情報と、利用者の属性に応じた区分を表す利用者区分情報とを含む利用者情報を記憶する。図５は、実施の形態１に係る利用者情報記憶部１１２に記憶された情報例を示す図である。図５に示すように、利用者情報記憶部１１２は、利用者ＩＤごとに、利用者氏名、学年、学部、利用者区分等の利用者情報を記憶する。利用者ＩＤは、利用者を識別するための識別情報である。利用者氏名は、利用者の氏名を表す情報である。学年は、利用者の学年を表す情報である。学部は、利用者が所属する学部を表す情報である。利用者区分は、利用者の属性に応じた区分のコードを表す情報である。例を挙げると、利用者情報記憶部１１２は、利用者ＩＤ「１１１１」と、利用者氏名「山田太郎」と、学年「１」と、学部「文学部」と、利用者区分「１０」とを対応付けて記憶する。
【００２１】
図６は、実施の形態１に係る利用者区分のコードの例を示す図である。例えば、図６に示すように、利用者区分は、大学生、大学院生、教授、外部利用者、卒業生、図書館職員等の区分（区分名称）に分けられ、それぞれ異なるコードが設定される。なお、図６に示した利用者区分の区分名称は一例であり、情報処理システム１が導入される施設によって変更することができる。
【００２２】
書評情報記憶部１１３は、書評を識別する書評識別情報ごとに、投稿された書評と、投稿された書評の書籍識別情報と、書評を投稿した利用者の利用者識別情報とを含む書評情報を記憶する。図７は、実施の形態１に係る書評情報記憶部１１３に記憶された情報例を示す図である。図７に示すように、書評情報記憶部１１３は、書評ＩＤごとに、レビュー、評価値、表示用利用者名称、利用者ＩＤ、書籍ＩＤ、書影ＵＲＬ等の書評情報を記憶する。
【００２３】
書評ＩＤは、レビューを識別するための識別情報である。レビューは、利用者によって投稿されたレビューの内容を表す情報である。評価値は、利用者によって指定された、書籍に対する評価値を表す情報である。表示用利用者名称は、レビューを投稿する際に利用者によって入力された文字列を表す情報であり、レビューを表示する際に、レビューを投稿した利用者の名称として表示される。利用者ＩＤは、利用者を識別するための識別情報であり、利用者情報記憶部１１２に記憶された利用者ＩＤに対応する情報である。書籍ＩＤは、書籍を識別するための識別情報であり、書誌情報記憶部１１１に記憶された書籍ＩＤに対応する情報である。書影ＵＲＬは、書籍の書影を保持するアドレスを表す情報であり、書誌情報記憶部１１１に記憶された書影ＵＲＬに対応する情報である。例を挙げると、書評情報記憶部１１３は、書評ＩＤ「１」と、レビュー「ＸＸＸＸＸＸＸＸ」と、評価値「５」と、表示用利用者名称「理工学部  田中研究室」と、利用者ＩＤ「１１１３」と、書籍ＩＤ「９９９９９」と、書影ＵＲＬ「ｈｔｔｐ：／／ａａａａａ．ｃｏｍ／ＸＸ．ｊｐｇ」とを対応付けて記憶する。
【００２４】
通信部１２１は、端末装置２０との通信を制御する。例えば、通信部１２１は、端末装置２０における利用者の操作に応じて送信された各種情報を受信する。また、通信部１２１は、端末装置２０からの各種情報の受信をもとにした、情報処理装置１０における処理に応じて、端末装置２０の表示部２１３に表示させるための各種画面等を送信する。
【００２５】
書誌情報処理部１２２は、利用者によって入力された検索ワードに対応する書誌情報を書誌情報記憶部１１１から取得する。より具体的には、書誌情報処理部１２２は、通信部１２１を介して、利用者によって入力された検索ワードを端末装置２０から受け付ける。かかる検索ワードは、書籍の検索時に入力されたワードである。そして、書誌情報処理部１２２は、検索ワードに対応する著者名、出版日、タイトル及び書影ＵＲＬ等の書誌情報を、書誌情報記憶部１１１から取得する。
【００２６】
書評情報処理部１２３は、取得された書誌情報の書籍識別情報に対応する書評を書評情報記憶部１１３から取得する。より具体的には、書評情報処理部１２３は、書誌情報処理部１２２によって取得された書誌情報の書籍ＩＤに対応するレビューや評価値、表示用利用者名称等を書評情報記憶部１１３から取得する。例えば、書評情報処理部１２３は、書籍ＩＤ「９９９９９」の書籍が検索ワードに該当する場合に、レビュー「ＸＸＸＸＸＸＸＸ」、評価値「５」、表示用利用者名称「理工学部  田中研究室」等の情報を書評情報記憶部１１３から取得する。
【００２７】
また、書評情報処理部１２３は、レビューの投稿や編集に応じて、書評情報記憶部１１３を更新する。より具体的には、書評情報処理部１２３は、端末装置２０からレビューの投稿を受け付けた場合に、新規に書評ＩＤを付与し、各書評情報を生成して、書評情報記憶部１１３を更新する。また、書評情報処理部１２３は、端末装置２０からレビューの編集を受け付けた場合に、書評情報記憶部１１３に記憶された、対応する書評ＩＤの各書評情報を更新する。なお、レビューの投稿又は編集の何れかであるかについては、書籍ＩＤと利用者ＩＤとから判定すれば良い。
【００２８】
判定部１２４は、検索ワードを入力した利用者の利用者情報に基づいて、該利用者が書評を投稿可能であるか否かを判定する。より具体的には、判定部１２４は、検索ワードを入力した利用者のログイン情報を取得する。例えば、ログイン情報には、利用者ＩＤが含まれる。そして、判定部１２４は、取得した利用者ＩＤをもとに、利用者情報記憶部１１２を参照し、利用者区分を取得する。続いて、判定部１２４は、レビューを投稿可能な利用者の利用者情報を含む書評設定ファイル１３１に、検索ワードを入力した利用者の利用者ＩＤ又は利用者区分が含まれるか否かを判定する。すなわち、検索ワードを入力した利用者がレビューを投稿可能な利用者か否かを判定する。なお、利用者がログインせずに検索ワードを入力している場合には、判定部１２４による処理は行なわれない。本実施の形態では、ログインしていない利用者（その属性が不明な利用者）に対しては、原則としてレビューの投稿は行なわせない。
【００２９】
図８は、実施の形態１に係る書評設定ファイル１３１に設定された情報例を示す図である。図８に示すように、書評設定ファイル１３１には、レビュー機能を使用するか否か、レビューの表示数、レビューを投稿及び編集可能な利用者のリスト、管理者のリスト等が設定される。「レビュー機能を使用するか否か」では、各書籍に対して投稿されたレビューを、検索結果画面等に表示するか否かが設定される。例えば、「１」であればレビュー機能が使用され、「０」であればレビュー機能が使用されない。「レビューの表示数」では、各書籍に対するレビューが表示されるときの表示数が設定される。例えば、「２」であれば各書籍に対するレビューが２つ表示される。もちろん、書籍に対するレビュー自体が存在しなければ、レビューの表示は行なわれない。
【００３０】
「レビューを投稿及び編集可能な利用者のリスト」では、レビューを投稿可能な利用者の利用者情報が設定される。例えば、「レビューを投稿及び編集可能な利用者のリスト」には、利用者区分や利用者ＩＤ等が設定される。なお、利用者区分と利用者ＩＤとは、重複して設定されなくても良い。「管理者のリスト」では、情報処理システム１を管理する管理者情報が設定される。かかる管理者のリストは、「レビューを投稿及び編集可能な利用者のリスト」と同様のフォーマットである。
【００３１】
情報処理システム１の管理者は、書評設定ファイル１３１に含まれる各事項を予め設定しておく。例えば、情報処理システム１の管理者は、教授や図書館職員等の信頼性がより高いと考えられる利用者区分や、ある特定の学生等の利用者ＩＤを、「レビューを投稿及び編集可能な利用者のリスト」に設定する。なお、「レビューを投稿及び編集可能な利用者のリスト」に設定がない場合には、全ての利用者がレビューを投稿及び編集可能となるようにしても良い。
【００３２】
画面生成部１２５は、端末装置２０の表示部２１３に表示させるための各種画面を生成する。より具体的には、画面生成部１２５は、検索ワードを入力した利用者の利用者ＩＤや利用者区分が書評設定ファイル１３１に含まれるか否かを表す情報を、判定部１２４から受け付ける。そして、画面生成部１２５は、利用者ＩＤや利用者区分が書評設定ファイル１３１に含まれる場合に、書誌情報処理部１２２によって取得された書誌情報や、書評情報処理部１２３によって取得された書評情報とともに、各書籍に対するレビューを投稿又は編集するためのオブジェクトを含む検索結果画面を生成する。
【００３３】
詳細には、画面生成部１２５は、検索ワードを入力した利用者がレビューの投稿及び編集が可能、すなわち書評設定ファイル１３１に利用者ＩＤや利用者区分が含まれていれば、各書籍に対するレビューを投稿済みであるか否かを、書評情報記憶部１１３を用いて確認する。これにより、画面生成部１２５は、レビューが未投稿であればレビューを投稿するためのオブジェクトを含む検索結果画面を生成し、レビューが投稿済みであればレビューを編集するためのオブジェクトを含む検索結果画面を生成する。一方、画面生成部１２５は、利用者ＩＤや利用者区分が書評設定ファイル１３１に含まれない場合に、各書籍に対するレビューを投稿又は編集するためのオブジェクトを含めずに、書誌情報や書評情報を含む検索結果画面を生成する。
【００３４】
また、画面生成部１２５は、レビュー機能を使用するか否かについて、また、レビューの表示数について、書評設定ファイル１３１を用いて確認し、レビュー機能を使用する場合に、設定されたレビューの表示数の数だけ各書籍に対するレビューを含む検索結果画面を生成する。一方、画面生成部１２５は、レビュー機能を使用しない場合に、各書籍に対するレビューを含まない検索結果画面を生成する。
【００３５】
また、画面生成部１２５は、書評設定ファイル１３１に設定された表示数よりも多い数のレビューを表示させるためのオブジェクトを含む検索結果画面を生成する。設定された表示数よりも多い数のレビューの表示とは、例えば、現在の表示よりもさらに数件だけ多いレビューを表示させる場合や、書籍のレビュー全件を表示させる場合のことを指す。そして、画面生成部１２５は、書評設定ファイル１３１に設定された表示数よりも多い数のレビューを表示させるためのオブジェクトの操作に応じて、設定された表示数よりも多い数のレビューを含む検索結果画面を生成する。例を挙げると、画面生成部１２５は、表示数が「２」であることから、２件のレビューを表示している状態において、表示数「２」よりもさらに数件だけ多いレビューを表示させるためのオブジェクトが操作された場合に、数件だけ多いレビューを付加した検索結果画面を生成する。同様に、画面生成部１２５は、表示数が「２」であることから、２件のレビューを表示している状態において、レビュー全件を表示させるためのオブジェクトが操作された場合に、該当する書籍のレビュー全件を付加した検索結果画面を生成する。
【００３６】
また、画面生成部１２５は、書評情報処理部１２３によって取得された書評を投稿した利用者の他の書評を表示するためのオブジェクトを含む検索結果画面を生成する。より具体的には、画面生成部１２５は、ある利用者個人のレビュー一覧を表示させるためのオブジェクトとして、表示用利用者名称を操作可能とした検索結果画面を生成する。
【００３７】
これにより、書評情報処理部１２３は、検索結果画面において、レビューを投稿した利用者の表示用利用者名称が操作された場合に、該表示用利用者名称に対応する利用者ＩＤのレビューや評価値等を書評情報記憶部１１３から取得する。なお、利用者ＩＤに対応するレビューが複数存在する場合には、書籍ＩＤごとに、レビューや評価値それぞれが取得される。また、書誌情報処理部１２２は、検索結果画面において、レビューを投稿した利用者の表示用利用者名称が操作された場合に、該表示用利用者名称の利用者ＩＤに対応する書籍ＩＤをもとに、該書籍ＩＤに対応する書誌情報を書誌情報記憶部１１１から取得する。なお、書籍ＩＤが複数存在する場合には、書籍ＩＤごとに、書誌情報それぞれが取得される。
【００３８】
その後、画面生成部１２５は、書評情報処理部１２３によって取得されたレビューや評価値と、書誌情報処理部１２２によって取得された書誌情報とを含む個人レビュー一覧画面を生成する。書評情報処理部１２３によって取得されたレビューや評価値と、書誌情報処理部１２２によって取得された書誌情報とは、書籍ＩＤごとにまとめることができる。
【００３９】
なお、画面生成部１２５は、検索結果画面や個人レビュー一覧画面等の各種画面の生成において、画面表示用の各種設定を含む画面設定ファイル１３２を用いる。かかる画面設定ファイル１３２は、画面に含まれる各項目の表示に関する設定を保持する。
【００４０】
端末装置２０は、通信部２１１と、制御部２１２と、表示部２１３とを有する。上記各部は、これらの一部又は全てがソフトウェア（プログラム）で実現されても良いし、ハードウェア回路で実現されても良い。
【００４１】
通信部２１１は、情報処理装置１０との通信を制御する。例えば、通信部２１１は、端末装置２０における利用者の操作に応じて各種情報を送信する。また、通信部２１１は、各種情報の送信に応じて、情報処理装置１０によって送信された各種画面等を受信する。
【００４２】
制御部２１２は、端末装置２０における各種処理を制御する。より具体的には、制御部２１２は、通信部２１１を介して、情報処理装置１０によって送信された各種画面を受け付けた場合に、受け付けた各種画面を表示部２１３に表示するための制御を行なう。また、制御部２１２は、表示部２１３に表示された各種画面におけるユーザ操作を受け付けて、受け付けた操作に対応する各種情報を、通信部２１１を介して情報処理装置１０に対して送信ための制御を行なう。表示部２１３は、制御部２１２による制御により、各種画面を表示する。なお、端末装置２０がタブレット端末やスマートフォン等である場合、表示部２１３は、各種画面を表示するとともに各種操作を受け付ける操作表示部として機能する。
【００４３】
［各種画面］
次に、図９〜図１４を用いて、実施の形態１に係る画面生成部１２５によって生成される各種画面を説明する。
【００４４】
図９は、実施の形態１に係る未ログイン時の検索結果画面の例を示す図である。図９に示すように、書籍の検索では、本学や他大学、国会図書館、Ｗｅｂサイト等の各所属における書籍を検索することが可能である。また、検索結果画面には、各書籍の書誌情報やレビュー、評価値、表示用利用者名称等が表示される。ユーザによって「レビューを見る」ボタンが押下されると、表示数に設定された数のレビューが表示される。また、ユーザによって「レビューを全て見る」ボタンが押下されると、該当する書籍のレビュー一覧画面に遷移する。なお、「レビューを全て見る」ボタンは「さらに多くのレビューを見る」ボタン等でも良く、「さらに多くのレビューを見る」ボタンが押下されると、該当する書籍のレビューを現在の表示数よりも数件多く表示させることができる。また、検索結果画面では、資料種別や著者等により絞込検索も可能となっている。なお、未ログイン時には、レビューを投稿するためのオブジェクトは含まれない。
【００４５】
図１０は、実施の形態１に係るログイン時の検索結果画面の例を示す図である。図１０に示すように、検索結果画面には、レビューを投稿するための「レビューを書く」ボタンや、既に投稿したレビューを編集するための「レビューを編集する」ボタン等のオブジェクトが含まれる。「本棚へ登録」ボタンは、登録した書籍をマイページで見られるようにするためのオブジェクトである。また、レビューが表示されたユーザの表示用利用者名称は、個人レビュー一覧画面を表示させるために、操作可能となっている。
【００４６】
図１１は、実施の形態１に係るレビューの投稿画面の例を示す図である。レビューの投稿画面は、図１０に示した「レビューを書く」ボタンが押下されたときに表示される画面である。図１１に示すように、ユーザは、表示用利用者名となるユーザ名に任意の名前を入力し、評価値を指定して、レビューの欄に書き込んだうえで、「投稿する」ボタンを押下する。これにより、情報処理装置１０によってレビューが管理される。また、「一時保存」ボタンは、レビューを後で編集する際に利用されるオブジェクトである。もちろん、一時保存されたレビューは、検索結果画面には表示されない。なお、図１０に示した「レビューを編集する」ボタンが押下された場合にも、図１１に示した画面と同様な編集画面が表示される。
【００４７】
図１２は、実施の形態１に係るレビュー一覧画面の例を示す図である。図１２に示すレビュー一覧画面は、図９や図１０等に示した「レビューを全て見る」ボタンが押下された場合に表示される。かかるレビュー一覧画面には、「レビューを全て見る」ボタンが押下された書籍に対応する複数のレビューが表示される。
【００４８】
図１３は、実施の形態１に係る個人レビュー一覧画面の例を示す図である。図１３に示す個人レビュー一覧画面は、図１０等に示した表示用利用者名称が操作された場合に表示される。かかる個人レビュー一覧画面には、表示用利用者名称が操作された利用者によって投稿された複数のレビューが表示される。
【００４９】
図１４は、実施の形態１に係るマイページ画面の例を示す図である。図１４に示すように、マイページ画面には、図１０に示した「本棚へ登録」ボタンが押下された書籍や、自身がレビューを投稿又は一時保存した書籍の一覧が表示される。ユーザは、書籍の一覧に対して、「本棚から削除」ボタンを押下することで本棚から削除したり、「レビューを編集する」ボタンを押下することでレビューを編集したりすることができる。
【００５０】
［実施の形態１に係る検索結果画面生成処理フロー］
次に、図１５を用いて、実施の形態１に係る検索結果画面生成処理の流れを説明する。図１５は、実施の形態１に係る検索結果画面生成処理の流れの例を示すフローチャートである。
【００５１】
図１５に示すように、書誌情報処理部１２２は、入力された検索ワードを受け付け、検索ワードに対応する書誌情報を書誌情報記憶部１１１から取得する（ステップＳ１０１）。また、書評情報処理部１２３は、書誌情報処理部１２２によって取得された書誌情報の書籍ＩＤに対応するレビューや評価値等の書評情報を書評情報記憶部１１３から取得する（ステップＳ１０２）。
【００５２】
ここで、検索ワードを入力した利用者によってログインされている場合に（ステップＳ１０３：Ｙｅｓ）、判定部１２４は、ログインした利用者のログイン情報に含まれる利用者ＩＤを用いて、利用者情報記憶部１１２から利用者区分を取得する（ステップＳ１０４）。そして、判定部１２４は、書評設定ファイル１３１に、ログインした利用者の利用者ＩＤ又は利用者区分が含まれているか否かを判定する（ステップＳ１０５）。
【００５３】
このとき、判定部１２４によって、利用者ＩＤ又は利用者区分が書評設定ファイル１３１に含まれていると判定された場合に（ステップＳ１０５：Ｙｅｓ）、レビューを投稿及び編集するためのオブジェクトを検索結果画面に追加することを決定する（ステップＳ１０６）。画面生成部１２５は、書誌情報処理部１２２によって取得された書誌情報と、書評情報処理部１２３によって取得された書評情報と、レビューを投稿及び編集するためのオブジェクトとを含む検索結果画面を生成する（ステップＳ１０７）。
【００５４】
また、検索ワードを入力した利用者によってログインされていない場合に（ステップＳ１０３：Ｎｏ）、画面生成部１２５は、書誌情報処理部１２２によって取得された書誌情報と、書評情報処理部１２３によって取得された書評情報とを含む検索結果画面を生成する（ステップＳ１０７）。また、判定部１２４によって、利用者ＩＤ又は利用者区分が書評設定ファイル１３１に含まれていないと判定された場合に（ステップＳ１０５：Ｎｏ）、画面生成部１２５は、書誌情報処理部１２２によって取得された書誌情報と、書評情報処理部１２３によって取得された書評情報とを含む検索結果画面を生成する（ステップＳ１０７）。
【００５５】
［実施の形態１に係るレビュー一覧画面生成処理フロー］
次に、図１６を用いて、実施の形態１に係るレビュー一覧画面生成処理の流れを説明する。図１６は、実施の形態１に係るレビュー一覧画面生成処理の流れの例を示すフローチャートである。
【００５６】
図１６に示すように、書籍のレビュー一覧を表示させるための操作が受け付けられた場合に（ステップＳ２０１：Ｙｅｓ）、画面生成部１２５は、該当する書籍のレビュー全件を含む検索結果画面を生成する（ステップＳ２０２）。一方、書籍のレビュー一覧を表示させるための操作が受け付けられていない場合には（ステップＳ２０１：Ｎｏ）、操作の受け付け待ちの状態となる。
【００５７】
［実施の形態１に係る個人レビュー一覧画面生成処理フロー］
次に、図１７を用いて、実施の形態１に係る個人レビュー一覧画面生成処理の流れを説明する。図１７は、実施の形態１に係る個人レビュー一覧画面生成処理の流れの例を示すフローチャートである。
【００５８】
図１７に示すように、個人レビュー一覧を表示させるための操作が受け付けられた場合に（ステップＳ３０１：Ｙｅｓ）、書評情報処理部１２３は、表示用利用者名称に対応する利用者ＩＤのレビューや評価値等を書評情報記憶部１１３から取得する（ステップＳ３０２）。また、書誌情報処理部１２２は、表示用利用者名称の利用者ＩＤに対応する書籍ＩＤをもとに、書籍ＩＤに対応する書誌情報を書誌情報記憶部１１１から取得する（ステップＳ３０３）。画面生成部１２５は、書評情報処理部１２３によって取得されたレビューや評価値と、書誌情報処理部１２２によって取得された書誌情報とを含む個人レビュー一覧画面を生成する（ステップＳ３０４）。一方、個人レビュー一覧を表示させるための操作が受け付けられていない場合には（ステップＳ３０１：Ｎｏ）、操作の受け付け待ちの状態となる。
【００５９】
［実施の形態１による効果］
情報処理システム１は、検索ワードを入力した利用者の利用者情報が、レビューを投稿及び編集可能な利用者の利用者情報を含む書評設定ファイル１３１に含まれる場合に、レビューを投稿及び編集するためのオブジェクトを含む検索結果画面を生成する。この結果、情報処理システム１は、レビューの信頼性を向上させることができる。
【００６０】
（実施の形態２）
上記実施の形態１では、利用者ＩＤや利用者区分等の利用者情報をもとに、書籍に対するレビューを投稿可能な利用者を制限する場合を説明した。レビューを投稿可能な利用者については、管理者にレビューをチェックさせることでさらに制限することもできる。そこで、実施の形態２では、管理者にレビューをチェックさせる場合を説明する。なお、実施の形態２に係る情報処理システムのシステム構成や、情報処理装置のハードウェア構成は、実施の形態１と同様である。また、実施の形態２に係る情報処理システムは、説明の便宜上、情報処理システム１ａとして説明する。
【００６１】
［実施の形態２に係る機能構成］
図１８を用いて、実施の形態２に係る情報処理装置及び端末装置の機能構成を説明する。図１８は、実施の形態２に係る情報処理装置及び端末装置の機能構成例を示すブロック図である。実施の形態２では、実施の形態１に係る情報処理装置及び端末装置と同様の構成については同一の符号を付し、同様の構成については詳細な説明を省略する場合がある。
【００６２】
図１８に示すように、情報処理装置１０ａは、書誌情報記憶部１１１と、利用者情報記憶部１１２と、書評情報記憶部１１３ａと、通信部１２１とを有する。加えて、情報処理装置１０ａは、書誌情報処理部１２２と、書評情報処理部１２３ａと、判定部１２４と、画面生成部１２５ａと、書評設定ファイル１３１ａと、画面設定ファイル１３２とを有する。上記各部は、これらの一部又は全てがソフトウェア（プログラム）で実現されても良いし、ハードウェア回路で実現されても良い。
【００６３】
書評情報記憶部１１３ａは、レビューを公開可能であるか否かを表す状態情報を記憶する。図１９は、実施の形態２に係る書評情報記憶部１１３ａに記憶された情報例を示す図である。図１９に示すように、書評情報記憶部１１３ａは、書評ＩＤごとに、状態、レビュー、評価値、表示用利用者名称、利用者ＩＤ、書籍ＩＤ、書影ＵＲＬ等の書評情報を記憶する。これらのうち、「状態」以外の情報は、実施の形態１に係る書評情報記憶部１１３に記憶された情報と同様である。
【００６４】
状態は、レビューの現在の状態を表す情報である。例えば、「公開中」は、書誌情報等とともに、該当する書籍のレビューが公開されている状態を表す。「作成中」は、レビューを投稿及び編集可能な利用者によって、一時保存等によりレビューが作成中である状態を表す。「チェック中」は、投稿されたレビューの、管理者による承認待ちの状態を表す。実施の形態２では、投稿される全てのレビューに対して管理者による承認を経ることになるので、利用者がレビューを投稿する操作を行なっても、即座に公開されない。「却下」は、投稿されたレビューが管理者によって却下された状態を表す。つまり、「公開中」以外の状態であるレビューは、非公開の状態となる。
【００６５】
書評情報処理部１２３ａは、公開又は非公開とする管理者の操作に応じて状態情報を更新する。より具体的には、書評情報処理部１２３ａは、端末装置２０を利用した管理者によって、各書籍のレビューに対応する状態を更新する操作が行なわれた場合に、該当する書籍ＩＤの書評情報記憶部１１３ａに記憶された状態を更新する。また、書評情報処理部１２３ａは、レビューを投稿及び編集可能な利用者によってレビューの一時保存が行なわれた場合には、「作成中」の状態として書評情報を登録する。また、書評情報処理部１２３ａは、レビューを投稿及び編集可能な利用者によってレビューが投稿又は編集された場合には、「チェック中」の状態として書評情報を登録又は更新する。
【００６６】
画面生成部１２５ａは、公開可能な状態のレビューを含む検索結果画面を生成する。より具体的には、画面生成部１２５ａは、判定部１２４によって利用者ＩＤや利用者区分が書評設定ファイル１３１ａに含まれると判定された場合に、書誌情報処理部１２２によって取得された書誌情報や、書評情報処理部１２３ａによって取得された書評情報のうち、「公開中」となっている書評情報とともに、各書籍に対するレビューを投稿又は編集するためのオブジェクトを含む検索結果画面を生成する。なお、画面生成部１２５ａは、管理者によるレビューの承認を行なうか否かについて、書評設定ファイル１３１ａに設定された情報をもとに判定する。
【００６７】
図２０は、実施の形態２に係る書評設定ファイル１３１ａに設定された情報例を示す図である。図２０に示すように、書評設定ファイル１３１ａには、実施の形態１に係る書評設定ファイル１３１に設定された情報に加えて、承認制の機能を使用するか否か、が設定される。「承認制の機能を使用するか否か」では、投稿されたレビューを管理者に承認させるか否かが設定される。つまり、実施の形態２では、利用者ＩＤや利用者区分等の利用者情報の制限に加えて、管理者による承認を経たうえでレビューを公開するか否かが決定される。
【００６８】
端末装置２０は、通信部２１１と、制御部２１２と、表示部２１３とを有する。上記各部は、これらの一部又は全てがソフトウェア（プログラム）で実現されても良いし、ハードウェア回路で実現されても良い。なお、端末装置２０による処理は、実施の形態１と同様である。
【００６９】
［管理者画面］
次に、図２１を用いて、実施の形態２に係る管理者画面を説明する。図２１は、実施の形態２に係る管理者画面の例を示す図である。
【００７０】
図２１に示すように、管理者画面には、投稿されたレビューの一覧が表示される。情報処理システム１ａの管理者は、並び順を変更したり、絞込検索を行なったりすることにより、チェックするレビューを管理者画面に表示させることができる。例えば、絞込検索では、状態（ステータス）に対して絞り込むことができる。管理者は、チェック中のレビューに対して、「承認する」ボタン又は「却下する」ボタンを押下することで、レビューの公開や非公開を決定する。また、管理者は、公開されたレビューに対して、「非公開にする」ボタンを押下することで、公開中のレビューを非公開にすることを決定する。これらのような管理者による操作に応じて、書評情報処理部１２３ａは、書評情報記憶部１１３ａの状態を更新する。
【００７１】
［実施の形態２に係る検索結果画面生成処理フロー］
次に、図２２を用いて、実施の形態２に係る検索結果画面生成処理の流れを説明する。図２２は、実施の形態２に係る検索結果画面生成処理の流れの例を示すフローチャートである。なお、実施の形態１に係る検索結果画面生成処理の流れと同様のステップについては説明を省略する場合がある。具体的には、ステップＳ４０１〜ステップＳ４０６は、ステップＳ１０１〜ステップＳ１０６における処理と同様である。
【００７２】
図２２に示すように、画面生成部１２５ａは、状態が「公開中」となっている公開可能なレビューを含む検索結果画面を生成する（ステップＳ４０７）。
【００７３】
［実施の形態２に係る状態更新処理フロー］
次に、図２３を用いて、実施の形態２に係る状態更新処理の流れを説明する。図２３は、実施の形態２に係る状態更新処理の流れの例を示すフローチャートである。
【００７４】
図２３に示すように、書評情報処理部１２３ａは、レビューの状態を更新する操作を受け付けた場合に（ステップＳ５０１：Ｙｅｓ）、レビューを公開する操作であるか否かを判定する（ステップＳ５０２）。このとき、書評情報処理部１２３ａは、レビューを公開する操作である場合に（ステップＳ５０２：Ｙｅｓ）、該当するレビューの状態を「公開中」として書評情報記憶部１１３ａを更新する（ステップＳ５０３）。なお、書評情報処理部１２３ａは、レビューの状態を更新する操作を受け付けていない場合に（ステップＳ５０１：Ｎｏ）、操作の受け付け待ちの状態となる。
【００７５】
また、書評情報処理部１２３ａは、レビューを公開する操作でない場合に（ステップＳ５０２：Ｎｏ）、レビューを却下する操作であるか否かを判定する（ステップＳ５０４）。このとき、書評情報処理部１２３ａは、レビューを却下する操作である場合に（ステップＳ５０４：Ｙｅｓ）、該当するレビューの状態を「却下」として書評情報記憶部１１３ａを更新する（ステップＳ５０５）。
【００７６】
また、書評情報処理部１２３ａは、レビューを却下する操作でない場合に（ステップＳ５０４：Ｎｏ）、レビューを非公開とする操作であるか否かを判定する（ステップＳ５０６）。このとき、書評情報処理部１２３ａは、レビューを非公開とする操作である場合に（ステップＳ５０６：Ｙｅｓ）、該当するレビューの状態を「作成中」として書評情報記憶部１１３ａを更新する（ステップＳ５０７）。一方、書評情報処理部１２３ａは、レビューを非公開とする操作でない場合に（ステップＳ５０６：Ｎｏ）、処理を終了する。
【００７７】
［実施の形態２による効果］
情報処理システム１ａは、利用者によってレビューが投稿及び編集された場合に、管理者の承認を経たうえで、該レビューを公開するので、レビューの信頼性をより向上させることができる。
【００７８】
（実施の形態３）
さて、これまで本発明に係る情報処理システムの実施の形態について説明したが、上述した実施の形態以外にも種々の異なる形態にて実施されて良いものである。そこで、（１）構成、（２）プログラム、について異なる実施の形態を説明する。
【００７９】
（１）構成
上記文書中や図面中等で示した処理手順、制御手順、具体的名称、各種のデータやパラメタ等を含む情報は、特記する場合を除いて任意に変更することができる。また、図示した装置の各構成要素は、機能概念的なものであり、必ずしも物理的に図示の如く構成されていることを要しない。すなわち、装置の分散又は統合の具体的形態は、図示のものに限られず、その全部又は一部を各種の負担や使用状況等に応じて、任意の単位で機能的又は物理的に、分散又は統合することができる。例えば、情報処理装置１０で実行される各処理機能は、クラウドコンピューティング等により分散させても良い。また、例えば、利用者情報記憶部１１２に記憶される利用者区分は、さらに細かい区分けにより実現されても良い。
【００８０】
（２）プログラム
また、情報処理システム１に係る各装置で実行されるプログラムは、一つの様態として、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。また、各装置で実行されるプログラムを、インターネット等のネットワークに接続されたコンピュータ上に格納し、ネットワーク経由でダウンロードさせることにより提供するようにしても良い。また、各装置で実行されるプログラムをインターネット等のネットワーク経由で提供又は配布するように構成しても良い。また、各装置で実行されるプログラムを、ＲＯＭ等に予め組み込んで提供するように構成しても良い。
【００８１】
各装置で実行されるプログラムは、上述した各部（書誌情報処理部１２２、書評情報処理部１２３、判定部１２４、画面生成部１２５）、（制御部２１２）を含むモジュール構成となっており、実際のハードウェアとしてはＣＰＵ（プロセッサ）が記憶媒体から上記プログラムを読み出して実行することにより、上記各部が主記憶装置上にロードされ、書誌情報処理部１２２、書評情報処理部１２３、判定部１２４及び画面生成部１２５、制御部２１２が主記憶装置上に生成されるようになっている。
【符号の説明】
【００８２】
１  情報処理システム
１０  情報処理装置
２０  端末装置
１１１  書誌情報記憶部
１１２  利用者情報記憶部
１１３  書評情報記憶部
１２１  通信部
１２２  書誌情報処理部
１２３  書評情報処理部
１２４  判定部
１２５  画面生成部
１３１  書評設定ファイル
１３２  画面設定ファイル
２１１  通信部
２１２  制御部
２１３  表示部
【先行技術文献】
【特許文献】
【００８３】
【特許文献１】特開２０１２−１０３７５９号公報
【図１】
2016024727.tif 000003
【図２】
2016024727.tif 000004
【図３】
2016024727.tif 000005
【図４】
2016024727.tif 000006
【図５】
2016024727.tif 000007
【図６】
2016024727.tif 000008
【図７】
2016024727.tif 000009
【図８】
2016024727.tif 000010
【図９】
2016024727.tif 000011
【図１０】
2016024727.tif 000012
【図１１】
2016024727.tif 000013
【図１２】
2016024727.tif 000014
【図１３】
2016024727.tif 000015
【図１４】
2016024727.tif 000016
【図１５】
2016024727.tif 000017
【図１６】
2016024727.tif 000018
【図１７】
2016024727.tif 000019
【図１８】
2016024727.tif 000020
【図１９】
2016024727.tif 000021
【図２０】
2016024727.tif 000022
【図２１】
2016024727.tif 000023
【図２２】
2016024727.tif 000024
【図２３】
2016024727.tif 000025